(57)【要約】      （修正有）【課題】容易に製造及び陳列することができ、しかも訴求効果の高い商品情報表示体を提供する。【解決手段】商品Ａとともに陳列される商品情報表示体１である。この表示体１は、山型のスリットで、該スリットの両端を結ぶ直線を輪郭とする内側部２と、内側部２の周囲を囲む外側部３とに区分されたシート材を基材とする。内側部２の一部に商品Ａが載置される載置部７が形成され、内側部２と外側部３のうち、少なくとも外側部３に商品情報を表示している。【選択図】図１
0003175245.tif 000002
【実用新案登録請求の範囲】
【請求項１】
商品とともに陳列される商品情報表示体であって、
シート材に山型のスリットを形成し、このスリットで、シート材を、スリット及びスリットの両端を結ぶ直線を輪郭とする内側部と、内側部の周囲を囲む外側部とに区分し、
内側部の一部に商品が載置される載置部を形成すると共に、内側部と外側部のうち、少なくとも外側部に商品情報を表示したことを特徴とする商品情報表示体。
【請求項２】
内側部にシート材の幅方向に延びた第１折り曲げ線を設け、内側部を正面から見て第１折り曲げ線で谷折りすることにより、内側部の先端に前記載置部を形成した請求項１記載の商品情報表示体。
【請求項３】
外側部にシート材の幅方向に延びた第２折り曲げ線を設け、外側部を正面から見て第２折り曲げ線で山折りした請求項１又は２に記載の商品情報表示体。
【請求項４】
内側部の先端をその周辺の外側部よりも後方に配置した状態で陳列される請求項１〜３の何れか一項に記載の商品情報表示体。
【請求項５】
外側部を、その後方側に立設された壁部に立て掛けた状態で陳列される請求項１〜４の何れか一項に記載の商品情報表示体。
【考案の詳細な説明】
【技術分野】
【０００１】
本考案は、商品とともに陳列される商品情報表示体に関する。
【背景技術】
【０００２】
店頭に陳列される商品（商品を収納したパッケージ）の外表面には、通常、当該商品の商品名、原材料、製造販売元及びバーコード等の基本情報が表示されており、さらに、当該商品の特徴や簡単な使用方法などが表示される場合もある。しかしながら、例えば小型の商品においては、その表面積が小さくなる関係上、商品の特徴等を外表面に十分に表示することが難しくなる。また、商品の販売促進を図る（訴求力を高める）ために、当該商品の特徴等を拡大・詳細表示することを希望する場合もある。そこで、商品の名称，特徴，使用方法等、特に消費者に知らしめることが望まれる種々の商品情報を拡大及び／又は詳細表示してなる商品情報表示体を、商品とともに陳列（起立姿勢で設置）する場合がある。
【０００３】
商品とともに陳列される既存の商品情報表示体としては、例えば、下記の特許文献１に記載されているように、商品情報を表示可能な正面板と、この正面板を下方側から支持する一対の脚板とを備えるものがある。
【先行技術文献】
【特許文献】
【０００４】
【特許文献１】特開２００４−３３３６７８号公報
【考案の概要】
【考案が解決しようとする課題】
【０００５】
しかしながら、特許文献１に記載された商品情報表示体では、数多くの切れ目（スリット）や折り曲げ線が設けられた板状部材を脚板に組み立てる必要があることから、製造コストが高く、またその組立・設置（陳列）に手間を要する。さらに、特許文献１に記載された商品情報表示体は、販売対象の商品に近接配置することはできるものの、設置態様（情報表示板として機能する正面板の向き）を簡単に変えることができることから、十分な訴求効果（広告効果）を発揮することができない場合がある。
【０００６】
このような実情に鑑み、本考案の課題は、容易に製造及び設置（陳列）することができ、しかも訴求効果の高い商品情報表示体を提供することにある。
【課題を解決するための手段】
【０００７】
上記の課題を解決するために創案された本考案は、商品とともに陳列される商品情報表示体であって、シート材に山型のスリットを形成し、このスリットで、シート材を、スリット及びスリットの両端を結ぶ直線を輪郭とする内側部と、内側部の周囲を囲む外側部とに区分し、内側部の一部に商品が載置される載置部を形成すると共に、内側部と外側部のうち、少なくとも外側部に商品情報を表示したことを特徴とする。
【０００８】
このように、本考案に係る商品情報表示体（以下、「表示体」と略称する）は、シート材に、このシート材を上記の内側部と外側部とに区分する山型のスリットを形成しただけのものであるから、容易かつ低コストに製造することができる。また、内側部の一部に商品が載置される載置部を形成すると共に、内側部と外側部のうち、少なくとも外側部に商品情報を表示したことから、当該表示体を陳列する際に商品を載置部上に載置すれば、表示体の位置や姿勢を安定化させることができることに加え、商品を、商品情報を表示した外側部で囲うことができる。なお、シート材に山型のスリットを形成することで、シート材を上記態様の内側部と外側部とに区分したことから、内側部及び外側部は、スリットの一端及び他端を結ぶ直線回りに回動可能である。そのため、内側部と外側部の少なくとも一方を、他方から離間する方向に回動させれば、シート材を、商品とともに陳列可能な表示体の形態に変形させることができる。以上から、本考案に係る表示体は、容易に製造及び陳列することができ、しかも陳列したときには高い訴求効果（広告効果）を発揮することができる。
【０００９】
上記構成の表示体において、内側部にシート材の幅方向に延びた第１折り曲げ線を設け、内側部を正面から見て第１折り曲げ線で谷折りすることにより、内側部の先端に載置部を形成することができる。なお、ここで言う「シート材の幅方向」は、「表示体の陳列状態における水平方向」と同義である（以下同様）。
【００１０】
上記構成の表示体において、外側部にシート材の幅方向に延びた第２折り曲げ線を設け、外側部を正面から見て第２折り曲げ線で山折りしても良い。このようにすれば、例えば図２に示すように、表示体１を陳列したとき、外側部３の下方領域（第２表示部５）を、棚部３１に係合させるようにして棚部３１の前方側で鉛直方向に沿った姿勢に配置することができる。この場合、外側部３が後方側にずれる（表示体１がシート材１’の状態に戻ろうとする）のを可及的に防止することができることに加え、表示体１を比較的高位置に陳列したときにも、外側部３の第２表示部５に表示された商品情報を消費者が視認し易くなる。
【００１１】
以上で述べた本考案に係る表示体を陳列する際には、内側部に形成した載置部をその周辺の外側部よりも後方に配置した状態とするのが望ましい。また、本考案に係る表示体は、外側部を、その後方側に立設された壁部に立て掛けた状態で陳列することができる。
【００１２】
なお、本考案に係る表示体を陳列したとき、内側部及び外側部がその自重によって大きく撓むと、外側部等に表示した商品情報を消費者が適切に視認することができず、十分な訴求効果が得られない（広告効果を発揮することができない）おそれがある。従って、シート材としては、内側部及び外側部の自重による撓みが生じ難い比較的硬質のものが望ましい。使用可能なシート材の具体例としては、樹脂シート、紙シートを熱圧着した樹脂フィルムで挟み込んだラミネートシート、段ボール、厚紙などを挙げることができる。
【考案の効果】
【００１３】
以上より、本考案によれば、容易に製造及び陳列することができるものでありながら、訴求効果（広告効果）の高い商品情報表示体を提供することができる。
【図面の簡単な説明】
【００１４】
【図１】本考案の一実施形態に係る商品情報表示体の概略斜視図である。
【図２】本考案の一実施形態に係る商品情報表示体の側面図である。
【図３】図１に示す商品情報表示体の展開図であって、図１に示す商品情報表示体に変形されるシート材の平面図である。
【図４】一実施形態に係る商品情報表示体の他の設置態様を模式的に示す側面図である。
【図５】本考案の他の実施形態に係る商品情報表示体の側面図である。
【図６】（ａ）（ｂ）図共に、本考案に係る商品情報表示体となるシート材の他の実施形態に係る概略平面図である。
【図７】（ａ）〜（ｄ）図は、何れも、本考案に係る商品情報表示体となるシート材の他の実施形態に係る概略平面図である。
【考案を実施するための形態】
【００１５】
以下、本考案の実施の形態を図面に基づいて説明する。
【００１６】
図１及び図２に、本考案の一実施形態に係る商品情報表示体１（以下、「表示体１」と略称する）の概略斜視図及び側面図をそれぞれ示す。この表示体１は、同図中二点鎖線で示す販売対象の商品Ａの商品名、特徴、使用方法等、商品Ａに関して特に消費者に知らしめたい種々の商品情報を拡大及び／又は詳細表示するためのものであって、ここでは棚部３１及びその後方側に立設された壁部３２を有する陳列棚３０に、商品Ａとともに陳列されている。
【００１７】
表示体１は、商品Ａの上側（後方上側）、下側（前方下側）及び幅方向両外側にそれぞれ配置された第１表示部４、第２表示部５及び一対の第３表示部６，６を有する外側部３と、外側部３の内側に配置された内側部２とを備え、ここでは、内側部２の先端（下端）をその周辺の外側部３よりも後方側に配置すると共に、外側部３の上端（第１表示部４）を壁部３２に立て掛けた状態で陳列されている。上記のように、内側部２の先端をその周辺の外側部３よりも後方に配置することにより、内側部２と外側部３との間に商品収容空間Ｓが画成され、商品Ａは、商品収容空間Ｓに収容されるようにして陳列されている。陳列された商品Ａは、内側部２の一部（下端）に形成した載置部７上に載置されている。
【００１８】
本実施形態の表示体１においては、外側部３の各表示部４〜６に適宜の商品情報を表示している（図中に、○／×／△印で模式的に示す）が、これに加えて、商品Ａの後方側に立設された内側部２に適宜の商品情報を表示することもできる。
【００１９】
図１及び図２に示す表示体１は、図３に示す長方形状のシート材１’を基材として形成される。シート材１’としては、比較的硬質のもの、例えば、樹脂シート、紙シートを熱圧着した樹脂フィルムで挟み込んだラミネートシート、段ボール、厚紙等が好適に使用され、ここではラミネートシートを使用している。シート材１’として比較的硬質のものを使用するようにしたのは、表示体１を陳列したときに、表示体１を構成する内側部２及び／又は外側部３がその自重によって大きく撓むのを可及的に防止し、外側部３の各表示部４〜６に表示した商品情報を消費者が適切に視認し得るようにするためである。
【００２０】
シート材１’には、山型、ここではシート材１’の両側辺及び下辺と平行に延びたコの字（凹字）状のスリット９を形成し、このスリット９で、シート材１’を、スリット９及びスリット９の両端９ａ，９ｂを結ぶ直線を輪郭とする内側部２と、内側部２の周囲を囲む外側部３とに区分している。上記態様のスリット９でシート材１’を内側部２と外側部３とに区分したことにより、内側部２と外側部３は、スリット９の両端９ａ，９ｂを結ぶ直線回りに回動可能となっている。
【００２１】
図３に示すように、内側部２には、シート材１’の幅方向（水平方向）に延びた第１折り曲げ線８ａが設けられている。第１折り曲げ線８ａは、内側部２の一部（下端）に上記の載置部７を容易にかつ確実に形成可能とするために設けられており、シート材１’を正面（表面側）から見たときに、内側部２を当該第１折り曲げ線８ａで谷折りし得るように形成されている。また、外側部３には、シート材１’の幅方向に延びた第２折り曲げ線８ｂが設けられている。この第２折り曲げ線８ｂは、シート材１’を正面から見たときに、外側部３を山折りし得るように形成されている。より詳しくは、第２折り曲げ線８ｂは、山型形状のスリット９の頂部（シート材１’の下辺に沿って延びる部分）を通ってシート材１’の幅方向に延びる直線上に形成されており、これにより外側部３は、第２表示部５と一対の第３表示部６，６の境界部で山折り可能である。以上で述べた第１及び第２折り曲げ線８ａ，８ｂは、例えば、凹溝（シート材１’の厚み方向に非貫通の切込み）や、ミシン目状の貫通孔で構成することができる。
【００２２】
以上の構成を有するシート材１’を、商品Ａとともに陳列可能な表示体１に変形させるには、（１）内側部２をシート材１’の裏面側に回動させ、（２）内側部２を正面から見て第１折り曲げ線８ａで谷折りして、内側部２の下端（先端）に載置部７を形成し、（３）外側部３を正面から見て第２折り曲げ線８ｂで山折りする、という３ステップを踏めば良い。そして、商品Ａを、内側部２と外側部３との間に画成した商品収容空間Ｓに収容（内側部２の下端に形成した載置部７に載置）すると共に、外側部３を壁部３２に立て掛ければ、商品Ａ及び表示体１の陳列が完了する。
【００２３】
以上で説明したように、本考案に係る表示体１は、シート材１’に、このシート材１’を、内側部２と外側部３とに区分する山型のスリット９を形成しただけのものであるから、容易かつ低コストに製造することができる。また、内側部２の一部（下端）に商品Ａが載置される載置部７を形成すると共に、内側部２と外側部３のうち、少なくとも外側部３に商品情報を表示したことから、表示体１を陳列する際に、上記のように商品Ａを載置部７上に載置すれば、表示体１の位置や姿勢を安定化させることができることに加え、商品情報を表示した外側部３で商品Ａを囲うことができる。また、内側部２及び外側部３は、スリット９の一端９ａ及び他端９ｂを結ぶ直線回りに回動可能であるから、内側部２と外側部３の少なくとも一方を、他方から離間する方向に回動させれば（ここでは内側部２をシート材１’の裏面側に回動させている）、シート材１’を、商品Ａとともに陳列可能な表示体１の形態に変形させることができる。以上から、本考案に係る表示体１は、容易に製造及び陳列することができ、しかも陳列したときには高い訴求効果（広告効果）を発揮することができる。
【００２４】
また、本実施形態では、外側部３にシート材１’の幅方向に延びた第２折り曲げ線８ｂを設け、外側部３を正面から見て第２折り曲げ線８ｂで山折りした状態で表示体１を陳列するようにした。このようにすれば、表示体１を陳列したとき、外側部３の下方領域（第２表示部５）を、棚部３１に係合させるようにして棚部３１の前方側で鉛直方向に沿った姿勢に配置することができる。この場合、外側部３が後方側にずれる（表示体１がシート材１’の状態に戻ろうとする）のを可及的に防止することができることに加え、表示体１を比較的高位置に陳列したときにも、外側部３の第２表示部５に表示した商品情報を消費者が視認し易くなる。
【００２５】
以上、本考案の一実施形態に係る表示体１およびその設置態様について説明を行ったが、表示体１を構成する各部には種々の変更を施すことが可能であり、また、表示体１の陳列態様も上述したものに限られない。
【００２６】
まず、表示体１の陳列態様について言えば、例えば、図４に示すように、内側部２を、陳列棚３０の壁部３２に沿わせるようにしてもよい。なお、表示体１をこのような姿勢で陳列する際に、表示体１の姿勢が安定しないようであれば、内側部２と外側部３の少なくとも一方を、部分的に陳列棚３０に貼り付け固定しても構わない。図１及び図２に示す態様で表示体１を陳列する場合も同様である。
【００２７】
図５に、本考案の他の実施形態に係る表示体１を示す。同図に示す表示体１が図１及び図２に示した実施形態と異なる主な点は、外側部３に第２折り曲げ線８ｂを設けず、外側部３を、第２表示部５と一対の第３表示部６，６の境界部で山折りしていない点にある。なお、同図に示す表示体１の陳列態様は、図１等に示した表示体１の陳列態様と同様である。このような構成は、表示体１を下方位置に陳列する場合に好適である。このようにすれば、外側部３を構成する第１〜第３表示部４〜６を上向きに配置することができるので、各表示部４〜６に表示した商品情報を消費者が視認し易くなるからである。
【００２８】
以上の構成において、シート材１’のうち、スリット９の一端９ａ及び他端９ｂを結ぶ直線上には、図６（ａ）に示すように、内側部２全体を正面から見て山折り可能とする第３折り曲げ線８ｃを設けても良い。このような折り曲げ線８ｃを設けておけば、内側部２をシート材１’の裏面側に回動させることでシート材１’を表示体１に変形させた後、弾性復元力によって表示体１がシート材１’の状態に戻るような事態が生じ難くなるので、表示体１を安定的に陳列する上で有利となる。また、図６（ｂ）に示すように、スリット９の一端９ａ及び他端９ｂからシート材１’の幅方向外側に向けて水平に延び、第３表示部６，６を正面から見てその上端部で谷折り可能とする第４折り曲げ線８ｄを設けても良い。
【００２９】
以上では、長方形状のシート材１’にコの字（凹字）状のスリット９を形成することで、シート材１’を上記の内側部２と外側部３とに区分したが、スリット９は、全体として一端９ａ及び他端９ｂを有する山型形状を呈し、シート材１’を上記の機能を発揮し得る内側部２と外側部３とに区分することができるのであれば、その形状を適宜変更することが可能である。具体的に述べると、スリット９は、例えば図７（ａ）に示すようなＵ字状に形成しても良いし、図７（ｂ）に示すように、先端の両側部がテーパ状の内側部２を形成し得るような形状に形成しても良い。また、シート材１’の形状も長方形状に限られるものではなく、例えば図７（ｃ）及び図７（ｄ）に示すような楕円状としても良い。図示は省略するが、シート材１’としては、円形状、三角形状、菱形状のものなどを使用することもできる。
【００３０】
なお、図７（ａ）〜（ｄ）に示す各シート材１’には、第１及び第２折り曲げ線８ａ，８ｂの双方を設けているが、第２折り曲げ線８ｂは、図５に示す実施形態と同様に省略しても構わない。また、図７（ａ）〜（ｄ）に示す各シート材１’には、図６（ａ）（ｂ）にそれぞれ示した第３及び第４折り曲げ線８ｃ，８ｄの何れか一方又は双方を形成することもできる。
【符号の説明】
【００３１】
１      商品情報表示体（表示体）
１’    シート材
２      内側部
３      外側部
４      第１表示部
５      第２表示部
６      第３表示部
７      載置部
８ａ    第１折り曲げ線
８ｂ    第２折り曲げ線
８ｃ    第３折り曲げ線
８ｄ    第４折り曲げ線
９      スリット
Ａ      商品
Ｓ      商品収容空間
【図１】
0003175245.tif 000003
【図２】
0003175245.tif 000004
【図３】
0003175245.tif 000005
【図４】
0003175245.tif 000006
【図５】
0003175245.tif 000007
【図６】
0003175245.tif 000008
【図７】
0003175245.tif 000009